(57)【要約】      （修正有）【課題】地中の障害物を撤去する障害物撤去用ケーシングに関し、取り出し用の筒体の、撤去作業を中断させることがなく、また駆動源の負荷を低減した障害物撤去用ケーシングを提供する。【解決手段】地中に貫入させ障害物を取り出す管体と、該管体の地中側先端部の近傍で筒体内側に係合される基端部から管体内方へ迫り出した先端部でなる弾性を有した複数の羽根部材２と、該羽根部材２の管体内方へ迫り出した先端部に一端部が係合しそれを前記管体の内方に向けて常に付勢するもので他端部を管体の内壁に揺動自在に係合させてなる付勢部材とでなる障害物撤去用ケーシング１とする。【選択図】図１
0003181064.tif 000002
【実用新案登録請求の範囲】
【請求項１】
地中に貫入させ障害物を取り出す管体と、
該管体の地中側先端部の近傍で筒体内側に係合される基端部から管体内方へ迫り出した先端部でなる弾性を有した複数の羽根部材と、
該羽根部材の管体内方へ迫り出した先端部に一端部が係合しそれを前記管体の内方に向けて常に付勢するもので他端部を管体の内壁に揺動自在に係合させてなる付勢部材とでなること、
を特徴とする障害物撤去用ケーシング。
【請求項２】
羽根部材は、管体の周壁の一部を管体内方へ切り起こして形成したものであること、
を特徴とする請求項１に記載の障害物撤去用ケーシング。
【請求項３】
羽根部材は、その上端面が使用状態で水平であって、下端面が当該羽根部材の跳ねだした先端部から管体内壁の基端部の下部に直線的若しくは曲線的に結ばれて、側面視して三角形状若しくは略三角形状に形成されていること、
を特徴とする請求項１または２に記載の障害物撤去用ケーシング。
【考案の詳細な説明】
【技術分野】
【０００１】
本考案は、例えば、鉄筋鉄骨コンクリート造、鉄骨コンクリート造、鉄骨造等の構造物を解体して新たに構造物を建築する際に、地下に埋まっているコンクリート基礎やパイル等の障害物を撤去するための障害物撤去用ケーシングに関するものである。
【背景技術】
【０００２】
従来、上記地中に埋まった障害物を撤去する装置としては、例えば、特許文献１に記載されているように、杭の撤去装置がある。これは、管体に障害物を切断するビットを備え、管体を打ち込むときと逆方向に回転することによって、管体内方に張り出すとともに、その状態で管体を引き上げたときに杭の撤去可能な位置と当接して、管体と共に杭を地中から撤去することができるようにする羽根部材と、管体を打ち込み時と逆方向に土の抵抗を受けることによって前記羽根部材を管体内方に張り出すようにする抵抗手段とを備えてなるものである。
【０００３】
前記杭の撤去装置により、管体を所定方向に回転させて地中に打ち込んでいき、撤去すべき障害物があると、その障害物を越えて管体を打ち込んだ後に、当該管体を逆回転させて前記羽根部材を内方に張り出させて、障害物の下に当接させ管体と共に地上に引き上げる方法である。
【０００４】
上記の他、地中の障害物の撤去方法として、ケーシング内に切り取った障害物の撤去に、落下衝撃、抜き取り、機械掘削の方法がある。このうち、抜き取り工法では、掘削機を用いて、障害物の周囲をケーシング壁に装着した切削刃で削り、コアを地中で破砕せず抜き取る工法である。
【先行技術文献】
【特許文献】
【０００５】
【特許文献１】特開２００７−１３８５５２号公報
【考案の開示】
【考案が解決しようとする課題】
【０００６】
しかしながら、従来の杭の撤去方法では、管体を必ず逆回転させなければならない。よって、撤去作業を一旦中断して、それから管体を逆回転させるので工期が長くなり手間が掛かるとともに、駆動負荷が大きくなり、装置全体が大がかりとなる。更に、羽根部材の拡張の様子を、地上からは容易に確認することができないものである。
【０００７】
また、そのほかの撤去工法に関して、例えば、落下衝撃方法ではケーシング内で障害物をグラブ把持の際に落下衝撃が生じることがある。更に、直接ワイヤーを障害物に掛け、クレーンで抜き取りする等の工法では、ケーシング内に作業者が降りるので、危険が生じる場合もある。長い杭状の場合には小割ができず過負荷が生じやすく、多様な構造物が混在する一般的な現場での制約が多いのが実情である。更に、抜き取り補助用の泥水を使用するので環境負荷が高いなどの課題がある。本考案に係る障害物撤去用ケーシングは、このような課題を解決するために提案されたものである。
【課題を解決するための手段】
【０００８】
本考案に係る障害物撤去用ケーシングの上記課題を解決して目的を達成するための要旨は、地中に貫入させ障害物を取り出す管体と、該管体の地中側先端部の近傍で筒体内側に係合される基端部から管体内方へ迫り出した先端部でなる弾性を有した複数の羽根部材と、該羽根部材の管体内方へ迫り出した先端部に一端部が係合しそれを前記管体の内方に向けて常に付勢するもので他端部を管体の内壁に揺動自在に係合させてなる付勢部材とでなることである。
【０００９】
前記羽根部材は、管体の周壁の一部を管体内方へ切り起こして形成したものであることである。
【００１０】
更に、前記羽根部材は、その上端面が使用状態で水平であって、下端面が当該羽根部材の跳ねだした先端部から管体内壁の基端部の下部に直線的若しくは曲線的に結ばれて、側面視して三角形状若しくは略三角形状に形成されていることを含むものである。
【考案の効果】
【００１１】
本考案の障害物撤去用ケーシングによれば、管体を地中に貫入させて障害物を越えて管体の先端部が地中奥へ入り込んだ後、一旦、管体の回転を停止して、羽根部材の内方への拡開をなさしめた後、そのまま管体を地上へ引き上げることで、障害物を撤去することができる。よって、管体を逆回転させて障害物を引き上げるのでは無いので、回転駆動源にとって高負荷になることが無く、作業手順も容易で工期短縮となる。
【００１２】
また、前記羽根部材を管体の周壁の一部で一体に形成することで、製造コストが低減きるものであり部品点数が減って管理もしやすくなる。更に、羽根部材の形状を略三角形状等にすることで、この羽根部材の回転されているときの土からの抵抗が減じ、拡張されるときも土の抵抗が少なくなり、付勢部材も小型化できる。
【図面の簡単な説明】
【００１３】
【図１】本考案の実施例に係る障害物撤去用ケーシング１の使用状態を示す断面図である。
【図２】同本考案の障害物撤去用ケーシング１の正面図である。
【図３】同本考案の障害物撤去用ケーシング１における羽根部材２の構成を示す断面図である。
【図４】同本考案の障害物撤去用ケーシング１の回転停止時における、羽根部材２の拡張の様子を示す一部拡大断面図である。
【考案を実施するための形態】
【００１４】
本考案に係る障害物撤去用ケーシング１は、管体内壁に常に管体の内側に迫り出す羽根部材を設けるものである。これによって、管体を逆回転させて障害物に係合させる手間が省けるものである。
【実施例】
【００１５】
本考案に係る障害物撤去用ケーシング１は、図１乃至図２に示すように、地中に貫入させ障害物を取り出す円筒状の管体１ａと、該管体１ａの地中側先端部の近傍で筒体内壁に係合される基端部２ａから管体内方へ迫り出した先端部２ｂでなる弾性を有した複数の羽根部材２と、図３（Ａ）に示すように、該羽根部材２の管体内方へ迫り出した先端部２ｂに一端部３ａが係合しそれを前記管体１ａの内方に向けて常に付勢するもので他端部３ｂを管体１ａの内壁に揺動自在に係合させてなる付勢部材３とでなる。
【００１６】
前記羽根部材２は、図１乃至図２に示すように、復元力となる弾性を有した例えばバネ鋼材などである。この羽部材２を形成するには、例えば、管体１ａの周壁の一部を管体内方へ切り起こして形成することができる。勿論、図３（Ｂ）に示すように、基端部２ａにおいて、ピン等の回動部材を介して管体内壁に別体の羽根部材２を連結して、揺動自在にすることもできる。
【００１７】
前記羽根部材２は、図３（Ｂ）に示すように、その上端面２ｃが使用状態で水平であって、下端面２ｄが当該羽根部材２の跳ねだした先端部２ｂから管体内壁の基端部２ａの下部に直線的若しくは曲線的に結ばれて、側面視して三角形状若しくは略三角形状に形成されている。
【００１８】
前記付勢部材３は、例えば、小型の油圧ピストンであったり、コイルバネであったりするものである。前記油圧ピストンのように地上から高圧油を供給するように制御したり、若しくは、地上からロッドで拡張操作したり、コイルバネのように自動的に拡張するようにしたりするものである。
【００１９】
以上のように形成した障害物撤去用ケーシング１によれば、図１に示すように、地盤６中の障害物４があって、それを掘削用筒体（コア抜きケーシング）５を正転方向に回転させ先端部のビット５ａで前記障害物４を切断する。その後、図３乃至図４に示すように、前記筒体５内に、障害物撤去用ケーシング１を貫入させる。
【００２０】
図３（Ａ）に示すように、障害物撤去用ケーシング１を正転方向に回転させて、羽根部材２が障害物である例えばコンクリート塊４に当たると、図４に示すように、該コンクリート塊４に押されて、付勢部材３の付勢力に抗して前記羽根部材２が径外側に押し込まれる。
【００２１】
更に管体１ａが降下して前記コンクリート塊４を通過すると、図４に示すように、前記羽根部材２の先端部２ｂが、羽根部材自身の弾性力と付勢部材３の付勢力とによって、管体内側へと跳ねだして拡張する。
【００２２】
これにより、前記羽根部材２が前記通過したコンクリート塊４の下に潜り込む。そこで、前記障害物撤去用ケーシング１を地上に引き上げる。管体１ａとともに羽根部材２が引き上げられ、更に、前記羽根部材２で持ち上げられるコンクリート塊４も同時に地上に引き上げられることになる。こうして、障害物撤去用ケーシング１の回転を停止させて、その後、逆回転させることなくそのまま引き上げるだけで、障害物４を撤去できるのである。
【００２３】
前記付勢部材３に関しては、例えば、拡張し膨張する断面三角形状の袋を用意し、地上から圧縮空気を供給して袋を膨らませるようにして、羽根部材２を拡張させてもよく、数々の公知の拡張手段が適用できるものである。
【産業上の利用可能性】
【００２４】
本考案に係る障害物撤去用ケーシング１は、地中の色々な物体の引き上げ装置として適用できるものである。
【符号の説明】
【００２５】
１              障害物撤去用ケーシング、    １ａ      管体、
２              羽根部材、
２ａ            基端部、                    ２ｂ        先端部、
２ｃ            上端面、                    ２ｄ        下端面、  
３              付勢部材、
３ａ            一端部、                    ３ｂ        他端部、
４              障害物、
５              掘削用筒体、
５ａ            ビット、
６              地盤。
【図１】
0003181064.tif 000003
【図２】
0003181064.tif 000004
【図３】
0003181064.tif 000005
【図４】
0003181064.tif 000006